(57)【特許請求の範囲】
【請求項１】
画像を撮影する際の筐体の姿勢を３軸のそれぞれについて保存された画像ファイルの画像を表示させる装置であって、
前記画像ファイルの姿勢に基づき、前記画像の上下方向が前記画像の短手方向である場合に、前記画像を回転させずに表示をさせ、前記画像の上下方向が前記画像の長手方向である場合に、前記画像を回転させ、回転させた画像が回転させないで表示させる画像と同等のアスペクト比となるように、回転させた画像を回転させないで表示させる画像よりも拡大し、拡大することによって前記アスペクト比の領域からはみ出す端部を除いて表示をさせ、前記画像の上下方向が前記画像の長手方向及び短手方向に直交する場合に、前記画像を回転させずに表示をさせる制御部
を備えた装置。
【発明の詳細な説明】
【技術分野】
【０００１】
本発明は、撮影装置に関し、特に撮影画像の表示に関する。
【背景技術】
【０００２】
従来、撮影装置の表示部に画像を表示する際に、当該画像の撮影時における撮影装置の姿勢に応じて画像を回転させて表示することが知られている。特許文献１には、横長の表示領域に前述の姿勢に応じて縦長になるように回転させて画像を表示する場合に、空いた領域にもう一つ前述の姿勢に応じて縦長に回転させた画像を表示することが記載されている。その結果、表示領域の空き領域を有効利用できることが記載されている。
【先行技術文献】
【特許文献】
【０００３】
【特許文献１】特開２００５−３１８２７８号公報
【発明の概要】
【発明が解決しようとする課題】
【０００４】
従来は、前述のように撮影時の姿勢に応じて画像を回転させて表示する自動回転表示機能を有効にするか否かをメニュー画面からユーザーが設定することができた。撮影装置と据え置き型の外部表示装置とを接続し、撮影装置から画像データを出力して外部表示装置に表示させる場合、自動回転表示機能が有効であると撮影装置を縦向きにして撮影した画像は自動的に縦向きに回転表示されるため大変便利である。しかし従来は自動回転表示機能を有効にしている場合、撮影装置の表示部においても、外部表示装置においても自動回転表示機能が有効になる。そのため、撮影装置を縦向きにして撮影した画像のピントが合っているかどうかを撮影装置の表示部で確認する場合に、自動回転表示機能が有効であると、横長の表示画面に９０度回転させた縦長の画像全体を表示するため、画像を回転させずに表示させる場合と比較して縮小表示され、ピントが合っているかどうかを確認しづらいという問題があった。なお特許文献１には、外部表示装置に表示させる機能も有する撮影装置の表示方法については特に言及されていない。
本発明は、上記課題に鑑みてなされたもので、画像の出力先が撮影装置の表示部である場合も外部表示装置である場合も画像を見やすく表示させることを目的とする。
【課題を解決するための手段】
【０００５】
上記目的を達成するための撮影した画像を外部表示装置に表示させる機能を備えた撮影装置は、姿勢検出部と、表示部と、制御部と、を備える。姿勢検出部は、画像を撮影する際の筐体の姿勢を検出する。表示部は、筐体に取り付けられた表示画面に前記画像を表示させる。制御部は、前記表示部においては、前記画像の長手方向を前記表示部の表示画面の長手方向に一致させて前記画像を表示させ、前記外部表示装置においては、前記姿勢で撮影された前記画像における上下方向を前記外部表示装置の画面の上下方向に一致させて画像を表示させる。なお本発明では、撮影装置が備える表示部の表示画面も、撮影装置が撮影によって得る画像も、外部表示装置の表示画面も、矩形であることを前提にしている（アスペクト比はもちろん異なり得る）。また本発明の外部表示装置は、撮影装置の姿勢変化に伴って姿勢が変化するようなものではなく、また、表示する画像に応じて姿勢を自動的に変化させるようなものではないことを前提としている。
【０００６】
すなわち上記構成では、撮影装置の表示部においては、撮影装置を横向きにして撮影した画像も縦向きにして撮影した画像も常に表示画面の長手方向が画像の長手方向と一致するように表示させる。その結果、表示画面の長手方向と画像の短手方向とを一致させて、画像の長辺が表示画面の短辺以下の長さとなるように画像のアスペクト比を保ったまま画像を縮小して表示させる構成と比較すると、画像を大きく表示できるためユーザーは画像の細部を確認しやすい。また上記構成では、外部表示装置においては、画像の上下方向と外部表示装置の表示画面の上下方向が常に一致するように表示させるので、外部表示装置に表示された画像を見るユーザーにとって画像を見やすい。また、本発明では、縦向きの姿勢で撮影された画像の表示態様（回転表示の有無）を出力先に応じて自動的に変えることができるので、出力先が変わるたびにユーザーは自動回転表示機能の有無設定を変える必要がなくユーザーにとって便利である。
【０００７】
姿勢検出部は、被写体に対して撮影装置が横向きに構えられているか、縦向きに構えられているかを特定できる情報を少なくとも検出することができればよい。一般的に、撮影装置が横向きに構えられている場合、撮影装置が撮影によって得る画像は横長である。したがって撮影装置が横向きの姿勢で撮影された画像における上下方向は、画像の短手方向と一致する。また、撮影装置が縦向きの姿勢で撮影された画像における上下方向は、画像の長手方向に一致する。なお、「前記姿勢で撮影された画像における上下方向」は、鉛直方向における上下と一致することを必ずしも意味しているわけではない。例えば、鉛直方向と、撮影装置の撮像部が受光する光の光軸とが平行になるように撮影装置を傾けた姿勢で撮影する場合、その姿勢で撮影された画像における上下方向は鉛直方向における上下と一致しない。
【０００８】
さらに、上記目的を達成するため撮影装置において、制御部は、判断部と、表示用画像データ生成部と、出力部と、を備える。判断部は、前記姿勢で撮影された前記画像の上下方向が画像の短手方向と一致するか否かを判断する。表示用画像データ生成部は、前記姿勢で撮影された前記画像の上下方向が前記画像の短手方向と一致しないと判断された場合に、前記姿勢で撮影された前記画像の上下方向が外部表示装置の表示画面の上下方向と一致するように回転させた前記画像を含む回転済み画像データを、前記画像を示す画像データに基づいて生成し、当該回転済み画像データを含む表示用画像データを生成する。出力部は、前記姿勢で撮影された前記画像の上下方向が前記画像の短手方向と一致すると判断された場合に、外部表示装置に対しては前記画像データを含む表示用画像データに応じた映像信号を出力し、前記姿勢で撮影された前記画像の上下方向が前記画像の短手方向と一致しないと判断された場合に、前記外部表示装置に対しては前記回転済み画像データを含む表示用画像データに応じた映像信号を出力する。
【０００９】
すなわち、前記姿勢で撮影された画像の上下方向が画像の短手方向と一致する場合は回転させていない画像データを含む表示用画像データに応じた映像信号を外部表示装置に出力し、前記姿勢で撮影された画像の上下方向が画像の短手方向と一致しない場合は、前記姿勢で撮影された画像の上下方向が外部表示装置の上下方向と一致するように回転させた回転済み画像データを含む表示用画像データに応じた映像信号を外部表示装置に出力することによって、外部表示装置においては、画像の上下方向と外部表示装置の表示画面の上下方向とが常に一致するように画像を表示させることができる。その結果、外部表示装置に表示された画像をユーザーにとって見やすくすることができる。
【００１０】
さらに、上記目的を達成するため撮影装置において、表示用画像データ生成部は、回転させた画像の全体が前記外部表示装置の表示画面に表示されるように、回転させないで表示させる画像よりも回転させた画像のサイズを縮小し、縮小することによって空いた領域に付加画像を付加することで、回転させないで表示させる画像と同等のアスペクト比となる前記回転済み画像データを生成する。
したがってこの場合、画像全体を外部表示装置に表示させることができる。
【００１１】
さらに、上記目的を達成するため撮影装置において、表示用画像データ生成部は、回転させた画像が回転させないで表示させる画像と前記外部表示装置において同等のアスペクト比となるように、回転させた画像を回転させないで表示させる画像よりも拡大し、拡大することによって前記アスペクト比の領域からはみ出す端部を除いて前記回転済み画像データを生成する。
したがってこの場合、画像全体を表示する場合と比較して画像内の一部分を外部表示装置において大きく表示させることができる。
【００１２】
さらに、上記目的を達成するため撮影装置は、前記表示部の前記表示画面に表示モード選択メニューを表示している状態で、少なくとも第一のモードと第二のモードと第三のモードとのうちから一つの表示モードの選択を受け付ける受付部を備えてもよい。その場合に、前記制御部は、前記第一のモードが選択されている場合、前記表示部においては、前記画像の長手方向を前記表示部の表示画面の長手方向に一致させて前記画像を表示させ、前記外部表示装置においては、前記姿勢で撮影された前記画像の上下方向を前記外部表示装置の上下方向に一致させて前記画像を表示させる。また、制御部は、前記第二のモードが選択されている場合、前記表示部においては、前記画像の長手方向を前記表示部の表示画面の長手方向に一致させて前記画像を表示させ、前記外部表示装置においても、前記画像の長手方向を前記外部表示装置の表示画面の長手方向に一致させて前記画像を表示させる。また、制御部は、前記第三のモードが選択されている場合、前記表示部においては、前記姿勢で撮影された前記画像の上下方向を前記表示部の表示画面の上下方向に一致させて前記画像を表示させ、前記外部表示装置においても、前記姿勢で撮影された前記画像の上下方向を前記外部表示装置の表示画面の上下方向に一致させて前記画像を表示させる。
【００１３】
すなわち、撮影装置の表示部と外部表示装置とで回転表示の態様を自動的に切り換える機能を、少なくとも上記３つの表示モードのうちの一つのモード（第一のモード）として提供し、撮影装置の表示部と外部表示装置とで回転表示の有無が共通である他のモード（第二のモードや第三のモード）と合わせて提供することで、ユーザーの多様なニーズに対応することができる。
【００１４】
なお、請求項に記載された各部の機能は、構成自体で機能が特定されるハードウェア資源、プログラムにより機能が特定されるハードウェア資源、又はそれらの組み合わせにより実現される。また、これら各部の機能は、各々が物理的に互いに独立したハードウェア資源で実現されるものに限定されない。
【図面の簡単な説明】
【００１５】
【図１】（１Ａ）は撮影装置のブロック図、（１Ｂ）は撮影装置の背面の模式図。
【図２】（２Ａ）は撮影モードにおける処理を示すフローチャート、（２Ｂ）は再生モードにおける処理を示すフローチャート。
【図３】（３Ａ）〜（３Ｃ）は撮影装置の姿勢を示す模式図。
【図４】表示モードと撮影時の姿勢と出力先とに応じた画像の表示態様を示す図。
【図５】（５Ａ）は横向きの姿勢で撮影された画像例を示す図、（５Ｂ）は横向きの姿勢で撮影された画像の表示部における表示例を示す図。
【図６】横向きの姿勢で撮影された画像の外部表示装置における表示例を示す図。
【図７】（７Ａ）は縦向きの姿勢で撮影された画像例を示す図、（７Ｂ）は縦向きの姿勢で撮影された画像の表示部における表示例を示す図。
【図８】（８Ａ）は回転済み画像データが示す画像の一例を示す図、（８Ｂ）は縦向きの姿勢で撮影された画像の表示部における表示例を示す図。
【図９】縦向きの姿勢で撮影された画像の外部表示装置における表示例を示す図。
【図１０】縦向きの姿勢で撮影された画像の外部表示装置における表示例を示す図。
【図１１】縦向きの姿勢で撮影された画像の外部表示装置における表示例を示す図。
【発明を実施するための形態】
【００１６】
以下、本発明の実施の形態を添付図面を参照しながら順に説明する。尚、各図において対応する構成要素には同一の符号が付され、重複する説明は省略される。
１．第一実施形態
１−１．構成
図１Ａは本発明にかかる撮影装置１の概略構成を示すブロック図、図１Ｂは撮影装置１を背面から見た模式図である。撮影装置１には、制御部１０、エリアイメージセンサー１１、光学系１２、姿勢検出部１３、操作部１４、記録部１５、表示部１６等が備えられている。
【００１７】
光学系１２は、エリアイメージセンサー１１に被写体画像を結像させる図示しないレンズ、絞り、シャッター、およびそれらの動作を制御するコントローラーを備えている。なおレンズや絞り等を備えたレンズユニットは撮影装置１の筐体１ａから着脱可能な構成であってもよい。エリアイメージセンサー１１は、ベイヤー配列されたカラーフィルターと、光量に応じた電荷を光電変換によって画素ごとに蓄積する複数のフォトダイオードとを備えるＣＭＯＳ（Complementary Metal Oxide Semiconductor）イメージセンサーである。むろん、撮像素子はＣＣＤ（Charge Coupled Device）イメージセンサーであってもよい。エリアイメージセンサー１１は、手ぶれ補正やほこり除去等のために意図的に駆動する場合を除いて、筐体１ａに対して位置や姿勢が変動しないように筐体１ａの内部において固定されている。すなわち筐体１ａの姿勢変化に伴って筐体１ａの姿勢変化と同様にエリアイメージセンサー１１も姿勢が変化する。
【００１８】
操作部１４は、電源スイッチ、シャッターボタン、撮影モードを切り換えるための操作部、各種の設定メニューを操作するための操作部等の操作子１４ａを備えており、ユーザーは当該操作子１４ａを操作することによって撮影装置１に対して各種の指示を与えることができる。記録部１５は、図示しない記録媒体を挿入することが可能であり、記録部１５に記録媒体が挿入された状態で、記録媒体に対して撮影した画像を示す画像データを含む画像ファイルを記録し、また、記録媒体から画像ファイルを読み出すことができる。
【００１９】
姿勢検出部１３は、例えば３軸加速度センサーで構成され、重力方向を識別することで筐体１ａの姿勢を検出する。姿勢検出部１３を構成するセンサーは、筐体１ａに対して位置や姿勢が変動しないように筐体１ａの内部において固定されている（もちろん、姿勢変化を検出するためのセンサー内部の構造物は筐体１ａの姿勢変化に伴って筐体１ａに対して動く）。本実施形態の３軸加速度センサーは、３軸加速度センサーにおけるｘｙｚ３軸のうちのｘ軸が例えば図１Ｂに示すように液晶パネル１６ａの長手方向と平行（＋ｘ方向が液晶パネル１６ａにおける左から右に向かう方向）で、ｙ軸が液晶パネル１６ａの短手方向と平行（＋ｙ方向が液晶パネル１６ａにおける下から上に向かう方向）で、ｚ軸が液晶パネル１６ａの表示面と直交する（＋ｚ方向が液晶パネル１６ａから光学系１２のレンズ等に向かう方向）ように筐体１ａの内部に固定されている。
【００２０】
表示部１６は、図示しない液晶パネルドライバーや「表示画面」としての液晶パネル１６ａ等を備えており、制御部１０から出力される信号に応じて液晶パネル１６ａに様々な画像を表示させる。例えば動作モードが撮影モードである場合に液晶パネル１６ａは、撮影前のライブビュー画像（動画）を表示する。また動作モードが再生モードである場合に液晶パネル１６ａは、撮影済みであり記録媒体に記録済みの画像を表示する。また、液晶パネル１６ａは各種メニュー画面を表示する。なお、液晶パネル１６ａは筐体１ａに対して位置や姿勢が変動しないように筐体１ａに固定されている。
【００２１】
制御部１０は、ＣＰＵやＲＡＭやＲＯＭや撮影装置１の各部を制御するための各種の処理を実行する回路を備えたＳＯＣ（System On a Chip）であり、制御部１０は、エリアイメージセンサー１１と光学系１２と姿勢検出部１３と操作部１４と記録部１５と表示部１６との動作を制御する。制御部１０は、ユーザーが操作子１４ａを操作したことによって行った指示を受け付けるプログラム（受付部１０ａ）を実行することができる。当該プログラムを実行することによって、後述する表示モードの選択を受け付けることができる。
【００２２】
また制御部１０は、選択されている表示モードと、表示対象の画像データに対応付けて記録されている撮影時の筐体１ａの姿勢情報と、画像の出力先と、に基づいて、表示対象の画像データに対する回転処理が必要であるか否かを判断するプログラム（判断部１０ｂ）を実行することができる。また制御部１０は、表示部１６や外部表示装置２に表示させるために表示対象の画像データに対して回転処理や解像度変換処理などを行って表示用画像データを生成するプログラム（表示用画像データ生成部１０ｃ）を実行することができる。
【００２３】
出力部１０ｄは、表示用画像データ生成部１０ｃを実行することによって生成された表示用画像データを映像信号（例えばＮＴＳＣ信号やＨＤＭＩ信号）に変換するインターフェース回路である。出力部１０ｄは当該映像信号を、表示部１６や、外部出力端子１７に接続しているコネクターを介して外部表示装置２（例：テレビモニター、液晶プロジェクター）に出力する。
【００２４】
１−２．表示モード選択
次に、撮影装置１における表示モード選択について説明する。制御部１０は、ユーザーが操作部１４に対して行ったメニュー画面表示指示を受け付けると、液晶パネル１６ａにメニュー画面を表示させる。メニュー画面は複数の項目の中の一つとして表示モード選択メニューを含んでいる。表示モード選択メニューでは、本実施形態においては後述する第一のモード・第二のモード・第三のモードという３つの表示モードが提示される。ユーザーは操作子１４ａを操作してそのうちのいずれかを選択すると、制御部１０はその選択を受け付ける。
【００２５】
１−３．撮影
次に、撮影装置１の動作モードが撮影モードである場合に制御部１０で実行される処理を、図２Ａを用いて説明する。動作モードが撮影モードである場合、ステップＳ１０５でシャッターボタンが全押しされたと判定されるまでの間、制御部１０は筐体１ａの姿勢を検出する（ステップＳ１００）。具体的には例えば制御部１０は、３軸加速度センサーから定期的に重力方向を示す信号を取得し当該信号に基づいて筐体１ａの姿勢を特定する。例えば３軸加速度センサーが検出した重力方向（鉛直方向の下向き）が図３Ａに示すように３軸加速度センサーにおける−ｙ方向である場合、制御部１０は撮影装置１の姿勢は横向き（撮影装置１の上端部が上の横向き）であると判断する。また、図３Ｂに示すように重力方向（鉛直方向の下向き）が＋ｘ方向である場合、制御部１０は撮影装置１の姿勢は縦向き（撮影装置１の左端部が上の縦向き）であると判断する。また、図３Ｃに示すように重力方向（鉛直方向の下向き）が−ｘ方向である場合、制御部１０は撮影装置１の姿勢は縦向き（撮影装置１の右端部が上の縦向き）であると判断する。なお、重力方向が＋ｙ方向である場合も制御部１０は横向きの姿勢と判断する。なお、重力方向がｘｙ軸に厳密に平行でなく（斜めの姿勢であっても）、重力方向に一番近い軸および当該軸における＋−方向から撮影装置１の姿勢を判断するようにしてもよい。すなわち、−ｙ方向が重力方向に最も近い横向き、＋ｙ方向が重力方向に最も近い横向き、＋ｘ方向が重力方向に最も近い縦向き、−ｘ方向が重力方向に最も近い縦向きのうちのいずれであるかを判断するようにしてもよい。また、重力方向とｚ軸とが平行である場合は、制御部１０は撮影装置１の姿勢は横向きであるもの判断するようにしてもよい。また、重力方向とｚ軸方向とがほぼ平行であるが完全に平行ではない場合は、ｘｙ軸のうちのいずれか重力方向に近い軸および当該軸における＋−方向から撮影装置１の姿勢を判断するようにしてもよい。
【００２６】
本実施形態においては、エリアイメージセンサー１１の受光面は矩形形状であり、撮影装置１が図３Ａに示すような横向きの姿勢である状態において長辺が水平方向と平行となる姿勢で筐体１ａ内に設けられている。また本実施形態においては、エリアイメージセンサー１１から出力された出力データに基づいて生成される画像データが示す画像は横長の矩形形状である（ユーザーの設定に応じてアスペクト比は異なり得る。例えば４：３、３：２、１６：９等に設定可能である）。したがって撮影装置１が横向きの姿勢で撮影された画像においては、画像における上下方向は画像の短手方向と一致する。撮影装置１が縦向きの姿勢で撮影された画像においては、画像における上下方向は画像の長手方向と一致する。
【００２７】
フローチャートの説明に戻る。なおステップＳ１０５でシャッターボタンが全押しされたと判定されるまでの間、例えば制御部１０は所定のフレームレートで画像を撮影し液晶パネル１６ａにライブビュー画像を表示する。また、シャッターボタンが半押しされたと判定されると、制御部１０は本撮影のためのＡＦ処理等を行う。
【００２８】
ステップＳ１０５でシャッターボタンが全押しされたと判定されると、制御部１０は撮影（本撮影）を行うとともに撮影時の撮影装置１の姿勢を示す姿勢情報を生成し（ステップＳ１１０）、姿勢情報と画像データとを含む画像ファイルを記録媒体に記録する（ステップＳ１１５）。すなわち、エリアイメージセンサー１１からの出力データに対して、画素補間処理や所定の画像処理を施して画像データを生成し、所定の画像ファイルフォーマットに準拠するためにヘッダー部の生成や画像データの圧縮等を行い、ヘッダー部や画像データ部を含む画像ファイルを記録媒体に記録する。姿勢情報は、前述したように、横向きまたは縦向き（縦向きの場合は回転方向も含む）を示す情報を含んでおり、画像ファイルのヘッダー部に記録される。なお姿勢情報は、上述のように撮影および記録時に撮影装置１の姿勢が特定される場合は当該特定された姿勢が記録される。また姿勢情報は、３軸加速度センサーのｘｙｚの３軸のそれぞれに対する重力方向の角度として記録されてもよい。その場合に制御部１０は、後述する画像再生時に当該角度から撮影装置１の姿勢を判定する。
【００２９】
続いて制御部１０は、撮影モードが終了であるか否かを判定し（ステップＳ１２０）、終了でなければステップＳ１００に戻り、終了である場合は図２Ａの処理を終了する。なおステップＳ１２０では、ユーザーの操作によって動作モードが撮影モードから別のモード（例えば再生モード）に切り替わったことが検出された場合や撮影装置１の電源がオフになった場合等に、制御部１０は撮影モードが終了であると判断する。
【００３０】
１−４．再生
次に、撮影装置１の動作モードが再生モードである場合に制御部１０で実行される処理を、図２Ｂを用いて説明する。動作モードが再生モードに切りかわると制御部１０は、表示対象の画像ファイルを記録媒体から取得し（ステップＳ２００）、表示用画像データを生成する（ステップＳ２０５）。ステップＳ２０５についての詳細は後述する。制御部１０は生成された表示用画像データに応じた映像信号を生成し出力先の表示部１６または外部表示装置２に出力する（ステップＳ２１０）。この結果、液晶パネル１６ａまたは外部表示装置２に表示用画像が表示される。
【００３１】
制御部１０は次の画像を表示するか否かを判定し（ステップＳ２１５）、次の画像を表示する場合は記録媒体に記録されている次の画像ファイルを新たな表示対象としてステップＳ１００に戻る。ステップＳ２１５では、ユーザーの十字ボタン等に対する操作によって現在表示されている画像の前または後に撮影された画像として記録媒体に記録されている画像を表示することが指示されたか否かが判定される。あるいは、記録媒体に記録されている画像を一定時間ごとに順に表示していくスライドショー（自動再生）の場合は、画像の切り換えタイミングであるか否かが判定される。制御部１０は再生モードが終了であるか否かを判定し（ステップＳ２２０）、終了でなければステップＳ２１５に戻り、終了であれば図２Ｂの処理を終了する。なおステップＳ２２０では、ユーザーの操作によって動作モードが再生モードから別のモード（例えば撮影モード）に切り替わったことが検出された場合や撮影装置１の電源がオフになった場合等に、制御部１０は再生モードが終了であると判断する。
【００３２】
次にステップＳ２０５の内容について詳細に説明する。まず制御部１０は、ステップＳ２００で記録媒体から取得した表示対象の画像ファイルのヘッダー部を解析し、姿勢情報を取得する。姿勢情報が撮影および記録時に既に特定された姿勢を示す情報ではなく、３軸加速度センサーにおけるｘｙｚ３軸に対する重力方向の角度が姿勢情報として記録されている場合は、ステップＳ１００やステップＳ１１０で説明した内容と同様に３軸に対する重力方向の角度に基づいて撮影装置１の姿勢を特定する。また制御部１０は、表示対象の画像ファイルから画像データを取得し圧縮された画像データを伸張し必要な画像処理を施してＲＡＭに格納する。そして図４に示すように、選択されている表示モードと、姿勢情報が示す撮影時の撮影装置１の姿勢と、出力先とに応じて画像を回転して表示させるか否かを制御部１０は決定する。出力先については例えば、外部表示装置２と接続しているコネクターが外部出力端子１７に接続されている場合は外部表示装置２が出力先であると制御部１０は判断し、外部出力端子１７にコネクターが接続されていない場合は表示部１６が出力先であると制御部１０は判断する。また例えば、ユーザーが操作子１４ａを操作することで出力先を切り換えることができてもよい。
【００３３】
第一のモード、第二のモードおよび第三のモードのいずれのモードにおいても、表示対象の画像が横向きの姿勢で撮影されている場合（図４のＣ１，Ｃ２，Ｃ５，Ｃ６，Ｃ９，Ｃ１０）は、出力先が表示部１６および外部表示装置２のいずれであっても、制御部１０は画像データを回転させない（ただし、横向きであっても、＋ｙ方向が重力方向（鉛直方向の下向き）と一致する横向き（撮影装置１の下端部が上の横向き）の場合であって出力先が外部表示装置２である場合は、制御部１０は１８０度回転させた画像を外部表示装置２に表示させる）。横向きの姿勢で撮影されているということは、すなわち、画像の短手方向と画像における上下方向とが一致するということを意味する。例えば図５Ａは横向きで撮影された画像の例を示している。本実施形態においては撮影された画像のアスペクト比は、ＷＡ：ＨＡ＝１２：８として説明する。また、液晶パネル１６ａのアスペクト比はＷＢ：ＨＢ２＝１２：９として説明する。したがって出力先が表示部１６の場合、表示用画像のアスペクト比は１２：９である。本実施形態において制御部１０は、出力先が表示部１６の場合は、表示用画像の１２：８の領域に回転させない画像を割り当て、残りの１２：１の領域にＯＳＤ（On Screen Display）画像を割り当てることで、表示用画像を示す表示用画像データを生成する。その結果、図５Ｂに示すように、ＷＢ：ＨＢ１＝１２：８の領域１６ａ１に非回転の画像が表示され、残りの１２：１の領域１６ａ２にＯＳＤ画像が表示される。
【００３４】
図６は、出力先が外部表示装置２の場合の表示例を示している（ＷＣ：ＨＣ＝ＷＡ：ＨＡ）。本実施形態における外部表示装置２の表示画面のアスペクト比（ＷＤ：ＨＤ）は、ＷＣ：ＨＣ＝１２：８よりも横長（ＷＤ／ＨＤ＞ＷＣ／ＨＣ）であるとして説明する。制御部１０は、表示対象の画像ファイルに含まれる画像データが示す画像のアスペクト比と外部表示装置２の表示画面のアスペクト比が異なる場合、表示対象の画像のアスペクト比と同等のアスペクト比の表示用画像を示す表示用画像データに応じた映像信号を外部表示装置２に出力して、外部表示装置２側が自身の表示画面のアスペクト比に合うように調整して表示するようにしてもよい。例えば図６の左右の端部領域２００に黒などの背景が外部表示装置２の調整によって表示されてもよい。またあるいは、表示対象の画像ファイルに含まれる画像データが示す画像のアスペクト比と外部表示装置２の表示画面のアスペクト比が異なる場合に制御部１０は、外部表示装置２のアスペクト比に合わせた表示用画像を示す表示用画像データを生成して、当該表示用画像データに応じた映像信号を外部表示装置２に出力してもよい。例えば、端部領域２００に該当する付加画像を図５Ａ等に示すＷＡ：ＨＡの画像の左右端に付加してアスペクト比がＷＤ：ＨＤとなる表示用画像を示す表示用画像データを生成し、当該表示用画像データに応じた映像信号を外部表示装置２に出力してもよい。本実施形態では前者の場合を例に用いて以降の説明を行う。
【００３５】
表示対象の画像が縦向きの姿勢で撮影されている場合、すなわち画像の短手方向が画像における上下方向と一致しない場合は、各モードによって表示態様が異なる。第一のモードが選択されている場合であって、出力先が表示部１６である場合は、制御部１０は画像を回転させずにアスペクト比が１２：８の画像を示す画像データを含む表示用画像データを生成する（Ｃ３）。図７Ａは図３Ｂに示すように撮影装置１の左端部が上の縦向き姿勢で撮影された画像の例を示している。第一のモードにおいては出力先が表示部１６の場合は画像を回転させないので、図７Ｂに示すように横向きのまま表示される。
【００３６】
第一のモードが選択されている場合であって、出力先が外部表示装置２である場合は、縦向きの姿勢で撮影された画像における上下方向が外部表示装置２の上下方向と一致するように画像データを９０度回転させる（Ｃ４）。姿勢情報には、縦向き撮影の場合の回転方向を示す情報も含まれているため、その情報を元に上下が一致するように回転させる。すなわち、図３Ｂに示すように撮影装置１の左端部が上である縦向きの姿勢で撮影された画像は、画像の左端が上になるように回転させて表示させる。図３Ｃに示すように撮影装置１の右端部が上である縦向きの姿勢で撮影された画像は、画像の右端部が上になるように回転させて表示させる。また、表示用画像に回転させた画像全体が含まれるように、図８Ａに示すように、回転させた画像を、アスペクト比を保ったまま縮小させ（ＨＡ：ＷＥ＝ＷＡ：ＨＡ）、空いた領域に黒などの背景画像１６０（付加画像）を付加することで回転済み画像データを生成する。図９はＣ４の場合の外部表示装置２における表示例を示している。このように、画像全体を外部表示装置２に表示させることができる。
【００３７】
このように、第一のモードにおいては、撮影モードで画像を撮影した後、再生モードに切り換えて撮影した画像のピントが合っているかどうかを確認する場合に、縦向きに撮影された画像であっても、回転させずに液晶パネル１６ａに表示されるため画像の細部を確認しやすい。一方、外部表示装置２に表示させる場合は、表示モードを変更しなくても縦向きに撮影された画像は自動的に回転して表示される。ユーザーにとっては、出力先を変えるたびに表示モードを変更しなくて済むので便利である。
【００３８】
第二のモードは、縦向きの姿勢で撮影された画像は出力先がいずれであっても回転させずに表示させるモードである。そのため、出力先が表示部１６の場合は図７Ｂに示すように画像における上下方向と液晶パネル１６ａの上下方向とが一致しない状態で画像が表示される。出力先が外部表示装置２の場合も図１０に示すように画像における上下方向と外部表示装置２の表示画面の上下方向とが一致しない状態で画像が表示される。
【００３９】
第三のモードは、縦向きの姿勢で撮影された画像は出力先がいずれであっても回転させて表示させるモードである。そのため、出力先が表示部１６の場合は図８Ｂに示すように画像における上下方向と液晶パネル１６ａの上下方向とが一致する状態で画像が表示される。出力先が外部表示装置２の場合も図９に示すように画像における上下方向と外部表示装置２の表示画面の上下方向とが一致する状態で画像が表示される。このように、撮影装置１の表示部１６と外部表示装置２とで回転表示の態様を自動的に切り換える機能を、少なくとも上記３つの表示モードのうちの一つのモード（第一のモード）として提供し、撮影装置１の表示部１６と外部表示装置２とで回転表示の有無が共通である他のモード（第二のモードや第三のモード）と合わせて提供することで、ユーザーの多様なニーズに対応することができる。
【００４０】
２．他の実施形態
尚、本発明の技術的範囲は、上述した実施例に限定されるものではなく、本発明の要旨を逸脱しない範囲内において種々変更を加え得ることは勿論である。例えば、上記実施形態では、第一のモードや第三のモードが選択されている場合に縦向きの姿勢で撮影された画像を外部表示装置２に表示させる場合、画像全体が外部表示装置２に表示されるように回転させた画像を縮小して表示する例を説明したが、回転させた画像を拡大して表示してもよい。例えば図１１に示すように、回転させた画像が回転させないで表示させる画像と前記外部表示装置において同等のアスペクト比となるように、回転させた画像を回転させないで表示させる画像よりも拡大し、拡大することによって前記アスペクト比の領域からはみ出す端部を除いて外部表示装置２に表示させてもよい。この場合、画像全体を表示する場合と比較して画像内の一部分を外部表示装置において大きく表示させることができる。
なお、上記実施形態では、エリアイメージセンサー１１から出力された出力データに基づいて生成される画像データが示す画像は横長の矩形形状であるとして説明を行ったが、画像はアスペクト比が１：１の正方形の形状であってもよい。アスペクト比が１：１の場合、長手方向や短手方向の区別はないが、アスペクト比が１：１の場合も第一実施形態と同様に、図４のＣ３の場合は液晶パネル１６ａにおいては回転しないで表示させ、Ｃ４の場合は外部表示装置２においては第一実施形態と同様に回転させて表示させる。
【００４１】
また、上記実施形態では、表示部１６か外部表示装置２のいずれか一方に表示する場合は他方には表示しなかったが、両方に表示するようにしてもよい。その場合も、第一のモードが選択されている場合は、縦向きに撮影された画像は表示部１６と外部表示装置２とで回転の有無が異なる。
なお、本発明は、撮影機能を備えた携帯電話や携帯情報端末にも適用可能である。また、撮影装置１は外部表示装置２に無線通信によって映像信号を送出してもよい。
【符号の説明】
【００４２】
１…撮影装置、１ａ…筐体、２…外部表示装置、１０…制御部、１０ａ…受付部、１０ｂ…判断部、１０ｃ…表示用画像データ生成部、１０ｄ…出力部、１１…エリアイメージセンサー、１２…光学系、１３…姿勢検出部、１４…操作部、１４ａ…操作子、１５…記録部、１６…表示部、１６ａ…液晶パネル、１７…外部出力端子、１６０…背景画像（付加画像）
【図１】
0005987428.tif 000002
【図２】
0005987428.tif 000003
【図３】
0005987428.tif 000004
【図４】
0005987428.tif 000005
【図５】
0005987428.tif 000006
【図６】
0005987428.tif 000007
【図７】
0005987428.tif 000008
【図８】
0005987428.tif 000009
【図９】
0005987428.tif 000010
【図１０】
0005987428.tif 000011
【図１１】
0005987428.tif 000012